(57)【要約】【課題】  合成樹脂製食器の有する本来の長所を確保しつつ、陶器と見間違うような外観及び質感を有し、かつ付加価値の高い陶器調樹脂食器を容易に得る。【解決手段】  陶器材料Ｃｏを用いることにより食器の基礎データＤｏに基いて製作された陶器食器１ｃの外観形状を、三次元測定機２を用いて測定処理し、陶器食器１ｃに係わる三次元形状データＤｓを得る形状データ測定処理工程Ｓａと、コンピュータ機能を有するデータ処理部３により、三次元形状データＤｓを三次元ＣＡＤデータＤｃに変換処理するデータ変換処理工程Ｓｂと、コンピュータ機能を備える三次元ＣＡＤシステム４のデータ処理部５により、三次元ＣＡＤデータＤｃから金型データＤｍを生成処理する金型データ生成処理工程Ｓｃと、得られた金型データＤｍにより製作した金型６により合成樹脂材料Ｒｏを用いて陶器調樹脂食器１を成形する食器成形処理工程Ｓｄとを備える。【選択図】  図１
2014180474.tif 000002
【特許請求の範囲】
【請求項１】
合成樹脂材料を用いることにより少なくとも外観を陶器調に形成した食器を製造するための食器の製造方法であって、陶器材料を用いることにより前記食器の基礎データに基いて製作された当該食器の外観形状を、三次元測定機を用いて測定処理し、前記食器に係わる三次元形状データを得る形状データ測定処理工程と、コンピュータ機能を有するデータ処理部により、前記三次元形状データを三次元ＣＡＤデータに変換処理するデータ変換処理工程と、コンピュータ機能を備える三次元ＣＡＤシステムのデータ処理部により、前記三次元ＣＡＤデータから金型データを生成処理する金型データ生成処理工程と、得られた金型データにより製作した金型により合成樹脂材料を用いて陶器調樹脂食器を成形する食器成形処理工程と、を備えてなることを特徴とする食器の製造方法。
【請求項２】
前記基礎データには、食器の種類，食器の寸法，食器の容量，食器の模様，に係わる少なくとも一以上のデータを含むことを特徴とする請求項１記載の食器の製造方法。
【請求項３】
前記陶器材料を用いた食器は、陶芸作品として製作することを特徴とする請求項１又は２記載の食器の製造方法。
【請求項４】
前記三次元測定機による測定は、非接触により測定を行うパターン投影法を用いることを特徴とする請求項１，２又は３記載の食器の製造方法。
【請求項５】
前記金型は、キャビティの内面を凹凸の粗面を形成するシボ加工処理することを特徴とする請求項１〜４のいずれかに記載の食器の製造方法。
【請求項６】
前記合成樹脂材料には、当該合成樹脂材料に対して色の異なる所定量の粒材を添加混合してなることを特徴とする請求項１〜５のいずれかに記載の食器の製造方法。
【請求項７】
前記成形により得られた陶器調樹脂食器の表面は、無コーティング及び／又はコーティングすることを特徴とする請求項１〜６のいずれかに記載の食器の製造方法。
【請求項８】
請求項１〜７のいずれかに記載の食器の製造方法により得られたことを特徴とする陶器調樹脂食器。
【発明の詳細な説明】
【技術分野】
【０００１】
本発明は、合成樹脂材料を用いることにより少なくとも外観を陶器に似せた食器を製造するための食器の製造方法及び同方法により得られる陶器調樹脂食器に関する。
【背景技術】
【０００２】
一般に、陶器製の食器は、自然の趣などの長所がある反面、割れ易い，重い，量産化及び低廉化が難しい等の短所を有しているため、学校や病院等では、主に、合成樹脂製の食器が使用されている。しかし、合成樹脂製の食器は、自然味がなく無味乾燥な食器となる傾向があるため、子供用或いは病人やお年寄り用の食器としては、必ずしも好ましいものではない。このため、合成樹脂材料を用いることにより外観を陶器風にした食器も提案されている。
【０００３】
従来、このような陶器風にした食器としては、特許文献１に開示される陶器風メラミン系樹脂製食器の製造方法により得られる食器が知られている。この食器は、濃淡の色合を有する食器であって、淡色部分を透して印刷された含浸紙の判別が可能で、絵柄を生かしつつその上に色をかけ、より陶器風の民芸調地肌模様を表面に顕現させた食器を生産性の高い製造方法で提供することを目的としたものであり、具体的には、メラミン系樹脂を一次圧縮成形した食器本体の表面に表面被覆層を二次成形する食器の製造方法であって、表面被覆材料として、円板流れが異なり、かつ色合が異なる２種以上の表面被覆材料を用い、該材料が一次圧縮成形した食器本体の表面に別個に載置した後、二次成形するようにしたものである。
【先行技術文献】
【特許文献】
【０００４】
【特許文献１】特開２００９−２１３６１５号公報
【発明の概要】
【発明が解決しようとする課題】
【０００５】
しかし、上述した従来の陶器風メラミン系樹脂製食器の製造方法及び食器は、次のような問題点があった。
【０００６】
第一に、陶器風にしたとしても食器の表面に付す模様や色を対象としたものであるため、陶器本来の外観や質感を醸し出すことはできない。特に、一見、陶器と見間違うような極めて陶器に近い外観や質感を有する陶器風食器を得ることは困難であり、陶器風の食器を得る観点からは必ずしも十分な製法とは言えない。
【０００７】
第二に、陶芸作品として捉える場合、一般に、芸術的要素（美観）や民芸品的要素（味わい）を付加することも重要な要素となる。したがって、例えば、陶芸家により製作された評価の高い作品の持つ芸術的要素や民芸品的要素を付加することができれば、より付加価値を高めた陶器風の食器を得ることができるが、このような付加価値を高めた食器を得るには限界ある。
【０００８】
第三に、食器を製造するに際しては、一次圧縮成形した食器本体の表面に、２種以上の表面被覆材料を載せ、二次成形するという一連の製造工程を要するため、製造工程が煩雑化する傾向があり、食器一個当たりの製造工数が増加する。結局、合成樹脂製食器の有する本来の長所を享受することができないなど、量産性及び低コスト性を実現するにも限界がある。
【０００９】
本発明は、このような背景技術に存在する課題を解決した食器の製造方法及び陶器調樹脂食器の提供を目的とするものである。
【課題を解決するための手段】
【００１０】
本発明は、上述した課題を解決するため、合成樹脂材料Ｒｏを用いることにより少なくとも外観を陶器調に形成した食器（陶器調樹脂食器）１を製造するに際し、陶器材料Ｃｏを用いることにより食器の基礎データＤｏに基いて製作された陶器食器１ｃの外観形状を、三次元測定機２を用いて測定処理し、陶器食器１ｃに係わる三次元形状データＤｓを得る形状データ測定処理工程Ｓａと、コンピュータ機能を有するデータ処理部３により、三次元形状データＤｓを三次元ＣＡＤデータＤｃに変換処理するデータ変換処理工程Ｓｂと、コンピュータ機能を備える三次元ＣＡＤシステム４のデータ処理部５により、三次元ＣＡＤデータＤｃから金型データＤｍを生成処理する金型データ生成処理工程Ｓｃと、得られた金型データＤｍにより製作した金型６により合成樹脂材料Ｒｏを用いて陶器調樹脂食器１を成形する食器成形処理工程Ｓｄと、を備えてなることを特徴とする。
【００１１】
この場合、発明の好適な態様により、基礎データＤｏには、食器の種類，食器の寸法，食器の容量，食器の模様，に係わる少なくとも一以上のデータを含ませることができる。なお、陶器材料Ｃｏを用いた陶器食器１ｃは、陶芸作品として製作することが望ましい。また、三次元測定機２による測定は、非接触により測定を行うパターン投影法を用いることができる。さらに、金型６におけるキャビティ６ｃの内面６ｃｉには、凹凸の粗面６ｃｆを形成するシボ加工処理を施すことができる。一方、合成樹脂材料Ｒｏには、当該合成樹脂材料Ｒｏに対して色の異なる所定量の粒材Ｒｇを添加混合することが望ましい。なお、成形により得られた陶器調樹脂食器１の表面は、無コーティングとしてもよいし、コーティングしてもよい。
【発明の効果】
【００１２】
このような本発明に係る食器の製造方法及び陶器調樹脂食器１によれば、次のような顕著な効果を奏する。
【００１３】
（１）  一見、陶器と見間違うような極めて陶器に近い外観及び質感を有する陶器調樹脂食器１を得ることができる。特に、陶器調樹脂食器１を製作する場合、芸術的要素或いは民芸品的要素を付加することも重要な要素となるが、本発明方法を用いた場合、例えば、陶芸家により製作された評価の高い陶芸作品を、合成樹脂であっても忠実かつ容易に再現可能になるため、付加価値及び商品性の高い陶器調樹脂食器１を容易に得ることが可能になる。
【００１４】
（２）  陶器調樹脂食器１を製造（生産）するに際し、一回の単純な成形工程で足りるため、製造工数が増加するなどの不具合は生じない。したがって、合成樹脂製食器の有する本来の長所を十分に確保できるなど、量産性及び低コスト性に優れる。
【００１５】
（３）  好適な態様により、基礎データＤｏに、食器の種類，食器の寸法，食器の容量，食器の模様，に係わる少なくとも一以上のデータを含ませれば、いわば一品製作品と量産品の双方のメリットを得ることができるとともに、その調和を図ることができる。即ち、陶器調樹脂食器１の食器としての機能的部分と作品としての芸術的（民芸品的）部分の双方をバランスよく確保し、生産する陶器調樹脂食器１の最適化を図ることができる。
【００１６】
（４）  好適な態様により、陶器材料Ｃｏを用いた陶器食器１ｃを、陶芸作品として製作すれば、本発明により得られる効果として最も望ましいパフォーマンスを得ることができる。
【００１７】
（５）  好適な態様により、三次元測定機２による測定に、非接触により測定を行うパターン投影法を用いれば、細部の緻密な形状に対しても測定可能となるため、本発明に係る陶器調樹脂食器１を製作する際に必要な金型データＤｍ（三次元ＣＡＤデータＤｃ）を得るための的確かつ正確な三次元形状データＤｓを容易に得ることができる。
【００１８】
（６）  好適な態様により、金型６におけるキャビティ６ｃの内面６ｃｉに対して、凹凸の粗面６ｃｆを形成するシボ加工処理を行えば、表面がいわばザラついた感触となるため、陶器に近い外観及び質感を有する陶器調樹脂食器１を得ることができ、より陶器に似せることができる。
【００１９】
（７）  好適な態様により、合成樹脂材料Ｒｏに、当該合成樹脂材料Ｒｏに対して色の異なる所定量の粒材Ｒｇを添加混合すれば、より陶器に近い外観及び質感を有する陶器調樹脂食器１を得ることができるとともに、特に、上述した金型６のキャビティ６ｃに施すシボ加工処理と組合わせることにより、陶器調の外観及び質感を確保する観点から最も望ましい陶器調樹脂食器１を得ることができる。
【００２０】
（８）  好適な態様により、成形により得られた陶器調食器１の表面を無コーティングにすれば、より自然の趣を醸し出すことができるとともに、他方、成形により得られた陶器調食器１の表面をコーティング処理すれば、汚れが着きにくくかつ落とし易くなるなど、合成樹脂製食器の持つ本来の実用的なメリットを得ることができる。
【図面の簡単な説明】
【００２１】
【図１】本発明の好適実施形態に係る製造方法を用いた茶碗（陶器調樹脂食器）の製造手順を説明するためのフローチャート（工程図）、
【図２】同製造方法により製造された茶碗（陶器調樹脂食器）の斜視図、
【図３】同製造方法に用いる三次元測定機と三次元ＣＡＤシステムの概要図、
【図４】同製造方法に用いる金型の一例を示す概要図、
【図５】同製造方法に用いる圧縮成形機の概要図、
【図６】同製造方法により製造された陶器調樹脂食器及び陶器食器を対比して示す断面正面図、
【図７】同製造方法により製造された変更実施形態に係る陶器調樹脂食器の断面正面図、
【発明を実施するための形態】
【００２２】
次に、本発明に係る好適実施形態を挙げ、図面に基づき詳細に説明する。
【００２３】
まず、本実施形態に係る食器の製造方法に用いることができる製造システムの構成について、図３〜図５を参照して説明する。
【００２４】
図３中、２は三次元測定機であり、例示の三次元測定機２は画像式三次元測定機である。この測定原理はパターン投影法を用いており、測定対象に対して非接触により測定することができる。三次元測定機２は、大別して、回転テーブルユニット２１，測定ユニット２２及び制御ユニット２３を備える。
【００２５】
回転テーブルユニット２１は、上面３１ｕに測定対象となる陶器材料Ｃｏを用いた陶器食器１ｃを載せる回転盤３１を備えるとともに、この回転盤３１を回転させる回転駆動部３２を備える。測定ユニット２２は、回転盤３１に載せた陶器食器１ｃに対して縞模様（縞パターン）を投影するプロジェクタ３５及び縞パターンが投影された陶器食器１ｃの外観形状を撮影するＣＣＤカメラ３６を備える。なお、３７は支持スタンドを示す。このような三次元測定機２、即ち、非接触により測定を行うパターン投影法を用いた三次元測定機２を用いれば、細部の緻密な形状に対しても測定可能となるため、本発明に係る陶器調樹脂食器１を製作する際に必要な金型データＤｍ（三次元ＣＡＤデータＤｃ）を得るための的確かつ正確な三次元形状データＤｓを容易に得れる利点がある。したがって、接触式三次元測定機では測定が難しい自由曲線を含む一品製作品、例えば、陶芸家により製作された評価の高い陶芸作品（陶器食器１ｃ）の測定に最適となる。
【００２６】
制御ユニット２３はデータ処理部３及び制御部３９を備える。このデータ処理部３にはＣＣＤカメラ３６により撮影した撮影映像信号が入力するとともに、データ処理部３からはプロジェクタ３５に付与する投射映像信号を出力する。制御部３９は回転テーブルユニット２１及びデータ処理部３に接続する。制御ユニット２３は全体としてコンピュータ機能を備えており、三次元測定機２全体における各種制御処理及び各種データ処理を行うことができる。特に、データ処理部３では、ＣＣＤカメラ３６により撮影した撮影映像信号から高密度の点群・メッシュデータの形で陶器食器１ｃの表面の三次元形状データＤｓを得ることができる。また、データ処理部３は、所定のアプリケーションプログラム（ソフトウェア）により、三次元形状データＤｓを三次元ＣＡＤデータＤｃに変換する変換処理機能を備え、この三次元ＣＡＤデータＤｃを出力することができる。
【００２７】
一方、図３中、４はコンピュータ機能を備える三次元ＣＡＤシステムであり、データ処理部５を備える。このデータ処理部５におけるデータ処理機能により、三次元測定機２から付与される三次元ＣＡＤデータＤｃに基づき金型データＤｍを生成処理することができ、この金型データＤｍを出力することができる。したがって、三次元ＣＡＤシステム４は、このデータ処理機能を実現するためのアプリケーションプログラム（ソフトウェア）等を格納したメモリ装置４２を備えている。
【００２８】
他方、図４は、三次元ＣＡＤシステム４により得られた金型データＤｍに基づいて製作した金型６の一例を示す。例示する金型６は、下型（固定型）６ｄと上型（可動型）６ｕを備え、陶器調樹脂食器１を象ったキャビティ６ｃを備える。また、図４中、５１はシボ加工装置を示す。このシボ加工装置５１は、金型６のキャビティ６ｃの内面６ｃｉに、凹凸の粗面６ｃｆを形成するいわゆるシボ加工を行う機能を備えたものであり、例えば、薬品により金属を溶解させる化学腐食（エッチング）処理を施す装置であってもよいし、サンドブラスト処理を行う装置であってもよい。
【００２９】
さらに、図５には、陶器調樹脂食器１を成形するための圧縮成形機６０の概要を示す。この圧縮成形機６０は圧縮成形機本体６１を備え、この圧縮成形機本体６１における型締装置（不図示）に上述した金型６を取付けて使用する。なお、６２は圧縮成形機本体６１に付設した成形機コントローラを示す。また、この圧縮成形機６０により成形を行う際には、合成樹脂材料Ｒｏ（メラミン樹脂材料等）に対して色の異なる所定量の粒材Ｒｇを添加混合した成形材料を使用する。この粒材Ｒｇはいわゆるゴマ材といわれる細かな粒材Ｒｇであり、合成樹脂材料Ｒｏにこの粒材Ｒｇを混合させることにより、より陶器に近い外観及び質感を有する陶器調樹脂食器１を得ることができるとともに、特に、上述した金型６のキャビティ６ｃに施すシボ加工処理と組合わせることにより、陶器調の外観及び質感を確保する観点から最も望ましい陶器調樹脂食器１を得ることができる。
【００３０】
次に、このような製造システムを用いた本実施形態に係る食器の製造方法について、各図を参照しつつ図１に示すフローチャート（製造工程図）に従って説明する。
【００３１】
なお、製造する陶器調樹脂食器１は図２に例示する茶碗１ｓである。この茶碗１ｓを製造するに際しては、まず、茶碗１ｓに対する基礎設計を行うことにより基礎データＤｏを得る（ステップＳ１）。即ち、本発明（本実施形態）に係る製造方法により製造する茶碗１ｓは、例えば、評判の良い陶芸家による陶芸作品と製作するとともに、この陶芸作品（茶碗１ｓ）を量産化可能な陶器調樹脂食器１として商品化するものである。したがって、容量等のある程度の実用的要素を付加する必要がある。具体的には、病院や学校等の食器として使用する場合、少なくとも、形状的なデザイン要素を除いた、食器の種類，食器の寸法，食器の容量，食器の模様等を設定（設計）する必要があり、これらの基礎設計に基づくデータを基礎データＤｏとして用いる。基礎データＤｏに、このような、食器の種類，食器の寸法，食器の容量，食器の模様，に係わる少なくとも一以上のデータを含ませれば、いわば一品製作品と量産品の双方のメリットを得ることができるとともに、その調和を図ることができる。即ち、陶器調樹脂食器１の食器としての機能的部分と作品としての芸術的（民芸品的）部分の双方をバランスよく確保し、生産する陶器調樹脂食器１の最適化を図ることができる利点がある。
【００３２】
そして、この基礎データＤｏに基づき、例えば、評判の良い陶芸家による陶芸作品としての製作を依頼する（ステップＳ２）。したがって、茶碗を製作する際には、全てを陶芸家の自由裁量に任せる訳ではなく、商品としての実用性が付加された陶芸作品が得られることになる。このように、陶器材料Ｃｏを用いた陶器食器１ｃを、陶芸作品として製作すれば、本発明により得られる効果として最も望ましいパフォーマンスを得れる利点がある。なお、このときの茶碗は、陶器材料Ｃｏを用いた通常の陶芸作品、即ち、通常の陶器食器１ｃとなる。
【００３３】
陶器食器（茶碗）１ｃが得られたなら、形状データ測定処理工程Ｓａにより、当該陶器食器１ｃの外観形状を、三次元測定機２を用いて測定処理し、陶器食器１ｃに係わる三次元形状データＤｓを得る。この場合、まず、図３に示すように、三次元測定機２に陶器食器１ｃをセットする（ステップＳ３）。即ち、三次元測定機２における回転盤３１の上面３１ｕの所定位置に陶器食器１ｃを載置する。そして、スタートスイッチをＯＮにすれば、三次元測定機２による陶器食器１ｃに対する三次元形状の測定処理が開始する（ステップＳ４）。測定時には、回転盤３１の定速回転により陶器食器１ｃが回転し、プロジェクタ３５からは陶器食器１ｃに対して縞パターンが投影される。この際、陶器食器１ｃの外観形状がＣＣＤカメラ３６によるスキャン処理により撮影される。これにより、データ処理部３では、得られる撮影画像信号から高密度の点群・メッシュデータの形で陶器食器１ｃにおける表面の三次元形状データＤｓが得られる（ステップＳ５）。
【００３４】
また、データ変換処理工程Ｓｂにより、三次元形状データＤｓを三次元ＣＡＤデータＤｃに変換処理する。この場合、三次元測定機２のコンピュータ機能を有するデータ処理部３を利用し、所定のアプリケーションプログラムにより三次元形状データＤｓを三次元ＣＡＤデータＤｃに変換処理する（ステップＳ６）。
【００３５】
一方、得られた三次元ＣＡＤデータＤｃは三次元測定機２から出力し、三次元ＣＡＤシステム４に付与される（ステップＳ７）。そして、三次元ＣＡＤシステム４では、金型データ生成処理工程Ｓｃによる金型データＤｍの生成処理が行われる。即ち、三次元ＣＡＤシステム４は、コンピュータ機能を備えるデータ処理部５により三次元ＣＡＤデータＤｃから金型データＤｍを生成処理する（ステップＳ８）。したがって、この三次元ＣＡＤシステム４には、三次元ＣＡＤデータＤｃに基づいて金型データＤｍの生成するための所定のアプリケーションプログラム（ソフトウェア）が格納されている。金型データＤｍは、後述する金型６を製作するためのデータであり、各種部品データや加工データ等が含まれる。
【００３６】
さらに、金型データＤｍが得られたなら、この金型データＤｍに基づいて金型６（図４）の製作を行う（ステップＳ９）。この金型６は、前述したように、下型（固定型）６ｄと上型（可動型）６ｕからなり、下型６ｄと上型６ｕ間には陶器調樹脂食器１を成形するキャビティ６ｃを有する。この場合、金型６の基本的形態は、公知の金型製造手法により製作することができる。したがって、金型６は金型製造システム等を用いた自動システムにより製造を行ってもよいし、金型エンジニアによる手作りであってもよい。また、基本的形態の金型６のキャビティ６ｃの内面６ｃｉには、シボ加工装置５１により、凹凸の粗面６ｃｆを形成するシボ加工処理を行う（ステップＳ１０）。このようなシボ加工処理を行えば、表面がいわばザラついた感触となるため、陶器に近い外観及び質感を有する陶器調樹脂食器１を得ることができ、より陶器に似せることができる利点がある。
【００３７】
次いで、食器成形処理工程Ｓｄに移行する。食器成形処理工程Ｓｄでは金型６を取付けた圧縮成形機６０により陶器調樹脂食器１の生産を行う。この場合、生産（成形）に際しては、成形材料として、合成樹脂材料Ｒｏに対して色の異なる所定量の粒材Ｒｇを添加混合した成形材料を準備する（ステップＳ１１）。合成樹脂材料Ｒｏにはメラミン樹脂を用いるとともに、粒材Ｒｇにはいわゆるゴマ材といわれる細かな粒材Ｒｇを用いる。このように、合成樹脂材料Ｒｏに対して色の異なる所定量の粒材Ｒｇを添加混合すれば、より陶器に近い外観及び質感を有する陶器調樹脂食器１を得ることができるとともに、金型６のキャビティ６ｃに施したシボ加工処理と組合わさることにより、陶器調の外観及び質感を確保する観点から最も望ましい陶器調樹脂食器１を得ることができる。
【００３８】
そして、圧縮成形機６０を運転することにより圧縮成形による生産を行う（ステップＳ１２）。なお、圧縮成形時には、成形体の表面にコーティング層（保護コート）を設けるコーティング処理或いは模様や着色を施すいわゆる絵付処理等を一緒に行うことができる。特に、成形体の表面をコーティング処理すれば、汚れが着きにくくかつ落とし易くなるなど、合成樹脂製食器１の持つ本来の実用的なメリットを確保できる。また、多色のグレースコーティングにより釉薬風合を出すことも可能となる。勿論、表面は、コーティングすることなく無コーティング状態としてもよい。このように、成形体の表面を無コーティングにすれば、より自然の趣を醸し出すことができる。なお、絵付には、陶器調の柄フォイルを使用することが望ましい。
【００３９】
成形により得られる成形体（合成樹脂製食器１）は、圧縮成形機６０により量産可能なため、予定した生産数量に達するまで、同様の成形処理を繰り返して行う（ステップＳ１２，Ｓ１３）。生産数量に達したなら生産を終了し、この後、パーティング面で発生する不要部分となるバリのカッティング等の必要な仕上げ処理や外観検査等を含む必要な成形後処理を行う（ステップＳ１４）。以上の各ステップを経ることにより、図２に示す目的の茶碗１ｓ、即ち、本実施形態に係る陶器調樹脂食器１を得ることができる。
【００４０】
よって、このような本実施形態に係る食器の製造方法によれば、陶器材料Ｃｏを用いることにより食器の基礎データＤｏに基いて製作された陶器食器１ｃの外観形状を、三次元測定機２を用いて測定処理し、陶器食器１ｃに係わる三次元形状データＤｓを得る形状データ測定処理工程Ｓａと、コンピュータ機能を有するデータ処理部３により、三次元形状データＤｓを三次元ＣＡＤデータＤｃに変換処理するデータ変換処理工程Ｓｂと、コンピュータ機能を備える三次元ＣＡＤシステム４のデータ処理部５により、三次元ＣＡＤデータＤｃから金型データＤｍを生成処理する金型データ生成処理工程Ｓｃと、得られた金型データＤｍにより製作した金型６により合成樹脂材料Ｒｏを用いて陶器調樹脂食器１を成形する食器成形処理工程Ｓｄとを備えてなるため、一見、陶器と見間違うような極めて陶器に近い外観及び質感を有する陶器調樹脂食器１を得ることができる。
【００４１】
図６には、素材は異なるも外観上は同一となる陶器材料Ｃｏを用いた陶器食器（茶碗）１ｃと本実施形態に係る陶器調樹脂食器１を対比して示す。陶器調樹脂食器１を製作する場合、芸術的要素或いは民芸品的要素を付加することも重要な要素となるが、本実施形態に係る製造方法を用いれば、陶芸家により製作された評価の高い陶芸作品を、合成樹脂であっても忠実かつ容易に再現可能になる。このように、本実施形態に係る製造方法を用いれば、付加価値及び商品性の高い陶器調樹脂食器１を容易に得ることが可能になる。また、陶器調樹脂食器１を製造（生産）するに際し、一回の単純な成形工程で足りるため、製造工数が増加するなどの不具合は生じない。したがって、合成樹脂製食器の有する本来の長所を十分に確保できるなど、量産性及び低コスト性に優れる。
【００４２】
ところで、従来における一般的な樹脂製食器は、肉厚が２〔ｍｍ〕程度、比重が「１」付近の為、軽量である。一方、一般的な陶器製食器の比重は、「２」付近である。本実施形態に係る陶器調樹脂食器１は、肉厚を５〔ｍｍ〕程度に選定したため、厚さが一般的な陶器製食器と同程度となる。したがって、厚さも、見た目上、陶器のような重厚感を実現している。これに対して、材料は合成樹脂材料を用いることから、重さは、陶器製食器に比べて半分程度となり、学校の児童或いは病院における病人やお年寄り等が使用する場合に最適となる。
【００４３】
なお、図７には、変更実施形態に係る陶器調樹脂食器１（茶碗）を示す。この陶器調樹脂食器１は、金属粒等のオモリ７１…を陶器調樹脂食器１の底部にインサート成形により埋め込み、全体の重さを陶器製食器と同程度にしたものである。したがって、この場合、外観及び質感が陶器製食器に似たものになるのみならず、手に持った感触も陶器製食器に似たものとなる。これにより、陶器調樹脂食器１には、特に、装飾品としての価値を持たせることができる。即ち、著名な陶芸家や工芸家の作品を鑑賞するための陶器調樹脂食器１としても利用できる。例示の場合、全体の重心を下げることができるため、花瓶のような不安定な作品にとっては倒れにくくなる効果もある。
【００４４】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４５】
例えば、基礎データＤｏには、食器の種類，食器の寸法，食器の容量，食器の模様，に係わる少なくとも一以上のデータを含ませることが望ましいが、例示以外の他のデータを含めることを排除するものではない。また、陶器食器１ｃは、陶芸作品として製作することが望ましいが、他の形態又は手法により製作する場合を排除するものではない。一方、三次元測定機２による測定は、非接触により測定を行うパターン投影法を用いる場合を例示したが、他の手法により測定する場合を排除するものではない。なお、陶器とは磁器も含まれる概念であり、本明細書における陶器とは陶磁器の意味である。また、合成樹脂材料Ｒｏとしてメラミン樹脂材料を例示したが、用途に応じて他の各種合成樹脂材料を用いることができる。さらに、実施形態では、合成樹脂材料Ｒｏの成形として圧縮成形機６０を用いて圧縮成形する場合を示したが、成形には、その他、射出成形機による射出成形等、各種の成形方式を利用することができる。
【産業上の利用可能性】
【００４６】
本発明に係る食器の製造方法は、合成樹脂材料を用いて外観を陶器調に形成する陶器調樹脂食器を製造する際に利用できる。この場合、食器には、一般的な食器のみならず、壷や花瓶等の食器に類似した各種形態も含まれものであり、本発明における食器の概念には広義の容器類が含まれる。
【符号の説明】
【００４７】
１：食器（陶器調樹脂食器），１ｃ：陶器食器，２：三次元測定機，３：データ処理部，４：三次元ＣＡＤシステム，５：データ処理部，６：金型，６ｃ：キャビティ，６ｃｉ：キャビティの内面，６ｃｆ：凹凸の粗面，Ｃｏ：陶器材料，Ｄｏ：食器の基礎データ，Ｄｓ：三次元形状データ，Ｄｃ：三次元ＣＡＤデータ，Ｄｍ：金型データ，Ｓａ：形状データ測定処理工程，Ｓｂ：データ変換処理工程，Ｓｃ：金型データ生成処理工程，Ｓｄ：食器成形処理工程，Ｒｏ：合成樹脂材料，Ｒｇ：粒材
【図１】
2014180474.tif 000003
【図２】
2014180474.tif 000004
【図３】
2014180474.tif 000005
【図４】
2014180474.tif 000006
【図５】
2014180474.tif 000007
【図６】
2014180474.tif 000008
【図７】
2014180474.tif 000009